(57)【特許請求の範囲】
【請求項１】
筒状の本体ケーシング内における先端部にシリンダが形成され、
該シリンダには、内端面に開口する第１吸引室が形成されると共に、上記シリンダの外端側には、第１吸引室に連通する吸引路を有するノズル部が本体ケーシング外に延長して形成され、
上記本体ケーシング内には、第１吸引室に往復移動自在に挿入されてシリンダに気密状に摺接する第１ピストンが第１弾性体によって突出方向に押圧された状態で設けられ、
該第１ピストンには、両端面に開口する第２吸引室が形成される一方、
上記本体ケーシング内には、第２吸引室に往復移動自在に挿入されて第１ピストンに気密状に摺接する第２ピストンが、第１弾性体より弾性力が弱い第２弾性体によって突出方向に押圧された状態で設けられ、
上記本体ケーシングの頭部には、内端が第２ピストンの頭部端面に当接し且つ外端に押圧片が形成されると共に、第２ピストンが第１ピストンに没入した小吸引位置と、第２ピストン及び第１ピストンがそれぞれ第１ピストン及びシリンダに没入した大吸引位置とに該第１ピストン及び第２ピストンを操作する操作杆が軸方向に移動自在に設けられている
ことを特徴とするピペット。
【請求項２】
請求項１記載のピペットにおいて、
操作杆は、
本体ケーシングの軸方向に延びる複数のスライド片を有し且つ第２ピストンの頭部端面に当接する回転子と、
本体ケーシング内の頭部に取付けられ、上記回転子と同心上に位置してスライド片の挿入及び離脱が自在なスライド溝を有するガイド部材と、
該スライド溝内に位置し且つスライド片の端部に当接するカムを有し、上記回転子と同心上に位置するノック部材と、
該ノック部材に同心上で連続すると共に押圧片が形成され、上記カムを介して回転子を本体ケーシングの軸方向に移動させるノックカバーとを備え、
上記スライド片がスライド溝より抜け出た位置が小吸引位置に設定されている
ことを特徴とするピペット。
【請求項３】
請求項１又は２記載のピペットにおいて、
ノズル部の先端部には、延長ノズルが着脱自在に取付けられると共に、リング状のしごき片が軸方向に移動自在に且つ延長ノズルの基端部に当接可能に設けられ、
本体ケーシングの先端キャップとしごき片との間には、該しごき片がノズル部の先端より離れる方向に押圧する弾性部材が設けられる一方、
上記延長ノズルがノズル部より離脱するようにしごき片を移動させる取外し手段が設けられている
ことを特徴とするピペット。
【発明の詳細な説明】
【０００１】
【産業上の利用分野】
本発明は、所定容量の液体を１の容器から他の容器に移し変えるために用いられるピペットに係るものである。
【０００２】
【従来の技術】
従来より、ピペットは、例えば、検体用の試料を採取容器から検査容器に移し変える際に用いられており、該ピペットには、本体容器の先端に細径のノズルを有すると共に、本体容器の中央部に吸引室が形成されたものがある。
【０００３】
そして、例えば、上記吸引室を収縮させた状態でノズルを採取容器の試料に浸漬し、吸引室を負圧状態にすると、試料を吸引する一方、ノズルを検査容器に挿入して上記吸引室を再び収縮させ、吸引した試料を排出して検査容器に移し変えている。
【０００４】
【発明が解決しようとする課題】
上述したピペットにおいて、従来、１回の試料の吸引量が一定の容量固定形のものであり、使用範囲が限定され、汎用性に乏しいという問題があった。つまり、例えば、健康診断等において、尿検査を行う場合、採取した尿を遠心分離して上澄を捨てて２００μｌ（マイクロリットル）のサンプルにする。その後、この２００μｌ（マイクロリットル）の液体部分と残渣とを混ぜ合わせた後、１５μｌ（マイクロリットル）の尿沈渣試験用サンプルを採取することになる。
【０００５】
したがって、従来のピペットでは、吸引量が固定であるため、２００μｌ（マイクロリットル）のサンプリング設定と１５μｌ（マイクロリットル）のサンプリングとを容易に行うことができないので、尿検査に手間を要するという問題があった。
【０００６】
そこで、サンプリング量を可変にした容量可変のピペットが提案されている。しかしながら、この容量可変形では、汎用性はあるものの、サンプリング量の設定を要することから、操作が煩雑であるという問題がある。つまり、検査試料のサンプリングはピペットを片手で把持して行うことが多く、片手でピペットを把持し、他方の手で容量設定を行うのでは、両手の操作となり、検査作業を迅速に行い難いという問題がある。
【０００７】
更に、上記容量可変のピペットは、汎用性はあるものの、構造が複雑であり、部品点数も多く、高価になるという問題がある。
【０００８】
本発明は、斯かる点に鑑みてなされたもので、大容量と小容量とのサンプリング量を選択できるようにすると共に、構造が簡単で安価なピペットを提供することを目的とするものである。
【０００９】
【課題を解決するための手段】
上記の目的を達成するために、本発明が講じた手段は、１つのシリンダに対して第１ピストンと第２ピストンとを２段に嵌め合わせ、この２つのピストンの移動操作によって大容量と小容量とのサンプリング量を選択可能にしたものである。
【００１０】
具体的に、請求項１に係る発明が講じた手段は、先ず、筒状の本体ケーシング内における先端部にシリンダが形成されている。そして、該シリンダには、内端面に開口する第１吸引室が形成されると共に、上記シリンダの外端側には、第１吸引室に連通する吸引路を有するノズル部が本体ケーシング外に延長されて形成されている。
更に、上記本体ケーシング内には、第１吸引室に往復移動自在に挿入されてシリンダに気密状に摺接する第１ピストンが第１弾性体によって突出方向に押圧された状態で設けられている。該第１ピストンには、両端面に開口する第２吸引室が形成されている。
一方、上記本体ケーシング内には、第２吸引室に往復移動自在に挿入されて第１ピストンに気密状に摺接する第２ピストンが、第１弾性体より弾性力が弱い第２弾性体によって突出方向に押圧された状態で設けられている。
加えて、上記本体ケーシングの頭部には、内端が第２ピストンの頭部端面に当接し且つ外端に押圧片が形成されると共に、第２ピストンが第１ピストンに没入した小吸引位置と、第２ピストン及び第１ピストンがそれぞれ第１ピストン及びシリンダに没入した大吸引位置とに該第１ピストン及び第２ピストンを操作する操作杆が軸方向に移動自在に設けられている。
【００１１】
また、請求項２に係る発明が講じた手段は、上記請求項１の発明において、操作杆が、本体ケーシングの軸方向に延びる複数のスライド片を有し且つ第２ピストンの頭部端面に当接する回転子と、本体ケーシング内の頭部に取付けられ、上記回転子と同心上に位置してスライド片の挿入及び離脱が自在なスライド溝を有するガイド部材と、該スライド溝内に位置し且つスライド片の端部に当接するカムを有し、上記回転子と同心上に位置するノック部材と、該ノック部材に同心上で連続すると共に押圧片が形成され、上記カムを介して回転子を本体ケーシングの軸方向に移動させるノックカバーとを備えた構成としている。そして、上記スライド片がスライド溝より抜け出た位置が小吸引位置に設定されている。
【００１２】
また、請求項３に係る発明が講じた手段は、上記請求項１又は２の発明において、ノズル部の先端部には、延長ノズルが着脱自在に取付けられると共に、リング状のしごき片が軸方向に移動自在に且つ延長ノズルの基端部に当接可能に設けられ、本体ケーシングの先端キャップとしごき片との間には、該しごき片がノズル部の先端より離れる方向に押圧する弾性部材が設けられた構成としている。更に、上記延長ノズルがノズル部より離脱するようにしごき片を移動させる取外し手段が設けられている。
【００１３】
【作用】
上記の構成により、請求項１に係る発明では、先ず、第１ピストンがシリンダより突出し、第２ピストンが第１ピストンより突出し、何れも最突出状態から、操作杆を押圧する。その際、請求項１〜請求項３に係る発明では、ノズル部に延長ノズルを挿入して該延長ノズルをシリンダに取付ける。そして、本体ケーシングを片手で把持し、親指で操作杆の押圧片を押圧する。
【００１４】
具体的に、請求項２に係る発明では、ノックカバーを押し下げると、ノック部材が下方に移動してカムが当接するスライド片が押し下げられて回転子が下方に移動する。この回転子が下方に移動すると、第２ピストンが押し下げられることになるが、その際、第１弾性体の弾性力が第２弾性体より小さく設定されているので、先ず、第２ピストンが第２吸引室に挿入移動する。この結果、第２吸引室の容積が収縮する。
【００１５】
続けて、上記ノックカバーを押し下げると、回転子のスライド片がガイド部材のスライド溝より抜け出ることになる。そして、スライド片がカムのカム面を滑って回転子がやや回転することになる。この回転子が回転する位置において、ほぼ第２ピストンが第２吸引室に最も挿入された状態となり、小容量をサンプリングする小吸引位置に第２ピストンがセットされることになる。
【００１６】
その後、続けてノックカバーを押し下げると、ノック部材の軸部がスライド片に当接した状態で回転子が下方に移動し、第２ピストンが第１ピストンを押し下げ、第１ピストンが第１吸引室に挿入移動する。この結果、第１吸引室の容積が収縮する。そして、上記ノックカバーを最も押し下げると、第１ピストンが第１吸引室に最も挿入された状態となり、大容量をサンプリングする大吸引位置に第１ピストンがセットされることになる。
【００１７】
この様にして操作杆の押圧操作のみでもって、小容量のサンプリングと大容量のサンプリングとを選択して行うことができる。
【００１８】
【発明の効果】
従って、請求項１に係る発明によれば、シリンダに対して第１ピストンと第２ピストンとを２段に嵌合して該第１ピストン及び第２ピストンを往復移動させて大容量と小容量とのサンプリング量を選択するようにしたために、従来のように、一定容量のサンプリング量のみに固定されていたものに比して適用範囲を拡大することができる。特に、多数の試料を検査する際、必要容量のサンプリングを簡単に行うことができるので、検査作業を迅速に行うことができる。
【００１９】
また、サンプリング量を任意に設定する容量可変のものに比して、構造を簡素にすることができ、且つ部品点数を少なくすることができることから、安価なものにすることができる。
【００２０】
また、請求項２に係る発明によれば、大容量と小容量とのサンプリング量の選択を片手、つまり、親指１本で押圧片を押圧することによって行うことができるので、操作の簡略化を図ることができ、各種の検査作業の迅速化を図ることができる。
【００２１】
また、請求項３に係る発明によれば、取外し手段を操作するのみで延長ノズルを取外すことができるので、手が試料等に触れることがないので、検査作業等を迅速且つ極めて衛生的に行うことができる。
【００２２】
【実施例】
以下、本発明の実施例を図面に基づいて詳細に説明する。
【００２３】
−全体の構成−
図１〜図５に示すように、ピペット１は、各種の検査試料などを１の容器から他の容器に移し変えるためのものであって、該ピペット１は、本体ケーシング２に、シリンダ３、第１ピストン４、第２ピストン５及び操作杆６等が収納されて構成され、大容量と小容量とのサンプリングを選択して行えるように構成されている。
【００２４】
上記本体ケーシング２は、円筒状に形成されたボディ部２１の先端部に先端キャップ２２が、頭部に頭部キャップ２３がそれぞれネジ嵌合されて形成されている。そして、上記ボディ部２１は、両端面が開口する中空円筒体に形成され、先端部側に大径孔２４が、頭部側に小径孔２５が段差を介して連続形成されている。
【００２５】
上記シリンダ３は、図６の分解斜視図にも示すように、シリンダ本体３１の先端部にフランジ３２が形成されると共に、ノズル部３３が一体形成されて構成されている。該シリンダ本体３１は、本体ケーシング２におけるボディ部２１の大径孔２４に挿入されると共に、フランジ３２がボディ部２１の先端面に同径状態で当接するようになっている。更に、上記シリンダ本体３１には、図３において上端になる内端面に開口する第１吸引室３４が形成されている。
【００２６】
上記ノズル部３３は、フランジ３２から本体ケーシング２の先端側に向かって突出するように連続形成され、先端キャップ２２の開口２ａを貫通している。そして、該ノズル部３３は、フランジ３２側から大径の基端部３ａと、該基端部３ａより小径の中間部３ｂと、該中間部３ｂより小径の先端部３ｃとが連続形成されている。更に、上記ノズル部３３には、第１吸引室３４に連通して先端面に開口する吸引路３ｄが形成されている。
【００２７】
また、上記ノズル部３３には、図８に示すように、延長ノズル７が取付けられるようになっている。該延長ノズル７は、細径状の筒体で、延長部７１に先細部７２が連続形成されてなり、該延長部７１の端部に上記ノズル部３３の中間部３ｂが挿入されると共に、該端部の外周面には、ノズル部３３の基端部３ａよりやや大径のリング状突起７３が形成されている。
【００２８】
上記ノズル部３３の基端部３ａには、リング状のしごき片１１が軸方向に移動自在に取付けられている。該しごき片１１と先端キャップ２２との間には、弾性部材である圧縮スプリング１２が介設されて、しごき片１１がノズル部３３の先端より離れる方向に押圧され、つまり、フランジ３２に押圧されている。上記しごき片１１は、後述する取外し手段８によってノズル部３３の先端側に移動すると、延長ノズル７の突起７３に当接して該延長ノズル７をノズル部３３から離脱させるように構成されている。
【００２９】
上記第１ピストン４は、円筒状のピストン本体４１の一端にフランジ４２が一体形成されて成り、内部空間が両端面に開口する第２吸引室４３に形成されている。該ピストン本体４１は、第１吸引室３４に往復移動自在に挿入され、シリンダ３にシールリング１３を介して気密状に摺接している。一方、上記フランジ４２は、本体ケーシング２の大径孔２４に摺接する径に形成されている。更に、上記フランジ４２とシリンダ本体３１との間には、第１弾性体である第１スプリング４４が介設されて第１ピストン４が突出方向に押圧されている。そして、上記第１ピストン４は、ボディ部２１における大径孔２４と小径孔２５との段差面にフランジ４２が当接して最大突出位置に保持されている。
【００３０】
上記第２ピストン５は、棒状のピストン本体５１の一端にフランジ５２が一体形成されて成り、該ピストン本体５１が大径部５ａと小径部５ｂとで形成されている。該ピストン本体５１の小径部５ｂは、第２吸引室４３に往復移動自在に挿入され、シリンダ３にシールリング１４を介して気密状に摺接し、大径部５ａが第１ピストン４のフランジ４２に当接するように形成されている。一方、上記フランジ５２は、本体ケーシング２の小径孔２５に摺接する径に形成されている。更に、上記フランジ５２と第１ピストン４のフランジ４２との間には、第２弾性体である第２スプリング５３が介設されて第２ピストン５が突出方向に押圧されており、該第２スプリング５３は、本発明の特徴として、第１スプリング４４のバネ力より小さく設定されている。そして、上記第２ピストン５は、後述する操作杆６がフランジ５２に当接して最大突出位置に保持されている。尚、第２スプリング５３と第１ピストン４のフランジ３２との間には、シールリング１４を止める止め部材１５が介設されている。
【００３１】
上記操作杆６は、図７にも示すように、ノック機構を備えており、回転子６１とガイド部材６２とノック部材６３とノックカバー６４とより形成されている。そして、該操作杆６は、第２ピストン５が第１ピストン４に没入した小吸引位置と、第２ピストン５及び第１ピストン４がそれぞれ第１ピストン４及びシリンダ３に没入した大吸引位置とに該第１ピストン４及び第２ピストン５を操作するように本体ケーシング２の軸方向に移動自在に設けられている。
【００３２】
上記ガイド部材６２は、略円筒状に形成されて本体ケーシング２におけるボディ部２１の小径孔２５の頭部に嵌合固定されており、複数のスライド溝６ａ，６ａ，…が形成されている。該スライド溝６ａ，６ａ，…は、例えば、６つ形成されて一端（図７の下端）が開放され、スライド溝６ａ，６ａ，…の間の短冊片６ｂ，６ｂ，…の下端面は、片側のスライド溝６ａから隣り合う片側のスライド溝６ａに向かって傾斜している。
【００３３】
上記回転子６１は、小径の軸部６ｃの一端（図７の下端）に軸方向に延びる複数のスライド片６ｄ，６ｄ，…が連続形成されて構成されている。そして、該回転子６１は、下端面が第２ピストン５のフランジ５２に当接する一方、軸部６ｃがガイド部材６２と同心上に該ガイド部材６２を貫通した状態で設けられている。上記スライド片６ｄ，６ｄ，…は、スライド溝６ａ，６ａ，…の半分の数、例えば、３つ形成されている。更に、上記スライド片６ｄ，６ｄ，…は、上端面が短冊片６ｂ，６ｂ，…の下端傾斜面に対応して傾斜しており、上記スライド溝６ａ，６ａ，…に挿入及び離脱が自在に形成されている。
【００３４】
上記ノック部材６３は、円筒状の軸部６ｅの一端（図７の下端）にほぼ楕円状の複数個のカム６ｆ，６ｆ，…が連続形成されて構成されている。そして、該ノック部材６３の軸部６ｅは、ガイド部材６２と同心上に該ガイド部材６２を貫通すると共に、回転子６１の軸部６ｃが貫通挿入されている。また、上記カム６ｆ，６ｆ，…は、例えば、スライド溝６ａ，６ａ，…の対応して６つ設けられ、該スライド溝６ａ，６ａ，…に位置すると共に、スライド片６ｄ，６ｄ，…が当接している。
【００３５】
上記ノックカバー６４は、軸部６ｇの一端（図４の上端）に円盤状の押圧片６ｈが一体形成されてなり、軸部６ｇの下端が本体ケーシング２の頭部キャップ２３を貫通し、ノック部材６３の軸部６ｅに嵌合されて該ノック部材６３と同心上に設けられている。そして、該ノックカバー６４を押圧すると、カム６ｆ，６ｆ，…がスライド片６ｄ，６ｄ，…を押し下げ、該スライド片６ｄ，６ｄ，…がスライド溝６ａ，６ａ，…から抜け出ると、回転子６１が回転すると共に、第２ピストン５が小吸引位置にセットされる。
【００３６】
また、上記取外し手段８は、本体ケーシング２におけるボディ部２１の頭部側に形成された軸方向の取付け溝２ｂに摺動自在に取付けられたクリップ８１と、本体ケーシング２におけるボディ部２１に貫挿された取外しピン８２とより構成されている。そして、上記取外し手段８は、図２の状態において、クリップ８１を下方に押し下げると、取外しピン８２ガ下方に移動し、上記シリンダ３のフランジ３２を貫通してしごき片１１を押し下げ、延長ノズル７が外れるように構成されている。
【００３７】
−サンプリング動作−
次に、上述したピペット１を用いた試料のサンプリング動作について説明する。
【００３８】
図２に示す状態は、試料の吸引前の状態であって、この状態において、しごき片１１はシリンダ３のフランジ３２に圧接される一方、第１ピストン４はシリンダ本体３１より突出し、第２ピストン５は第１ピストン４より突出し、何れも最突出状態であって、第１吸引室３４及び第２吸引室４３は最大容積の状態になっている。
【００３９】
上述の状態からノズル部３３に延長ノズル７を挿入して該延長ノズル７をシリンダ３に取付ける。そして、本体ケーシング２のボディ部２１を片手で把持し、親指で操作杆６の押圧片６ｈを押圧する。このノックカバー６４を押し下げると、ノック部材６３が下方に移動してカム６ｆ，６ｆ，…が当接するスライド片６ｄ，６ｄ，…が押し下げられて回転子６１が下方に移動する。
【００４０】
この回転子６１が下方に移動すると、第２ピストン５が押し下げられることになるが、本発明の特徴として、第２スプリング５３が第１スプリング４４のバネ力より小さく設定されているので、先ず、第２スプリング５３のみが撓み、第２ピストン５のピストン本体５１が第２吸引室４３に挿入移動する。この結果、第２吸引室４３の容積が収縮する。
【００４１】
続けて、上記ノックカバー６４を押し下げると、回転子６１のスライド片６ｄ，６ｄ，…がガイド部材６２のスライド溝６ａ，６ａ，…より抜け出ることになる。そして、このスライド片６ｄ，６ｄ，…がスライド溝６ａ，６ａ，…より抜け出ると、カム６ｆ，６ｆ，…のカム面を滑って回転子６１がやや回転し、スライド片６ｄ，６ｄ，…の上端面とガイド部材６２の短冊片６ｂ，６ｂ，…の下端面とが接する状態となる。この回転子６１の回転時にスライド片６ｄ，６ｄ，…が隣り合うカム６ｆ，６ｆ，…に当接してノック音を発することになる。
【００４２】
この回転子６１が回転する位置が、図９に示す状態となり、ほぼ第２ピストン５のピストン本体５１における大径部５ａの端面が止め部材１５を介して第１ピストン４のフランジ４２に当接する。つまり、第２ピストン５の小径部５ｂが第２吸引室４３に最も挿入された状態となり、試料を小容量だけサンプリングする小吸引位置に第２ピストン５がセットされることになり、具体的に、上述したノック音が出ると、小吸引位置になる。この小吸引位置の容量は、例えば、１５μｌ（マイクロリットル）の採取容量に設定されている。
【００４３】
その後、続けてノックカバー６４を押し下げると、ノック部材６３の軸部６ｅがスライド片６ｄ，６ｄ，…に当接した状態で回転子６１が更に下方に移動し、第２ピストン５の大径部５ａが第１ピストン４に当接して該第１ピストン４を押し下げ、第１スプリング４４も撓むことになり、第１ピストン４のピストン本体４１が第１吸引室３４に挿入移動する。この結果、第１吸引室３４の容積が収縮する。
【００４４】
そして、上記ノックカバー６４を最も押し下げると、図１０に示す状態となり、上記第１ピストン４のピストン本体４１が第１吸引室３４に最も挿入された状態となり、つまり、上記第２ピストン５が第２吸引室４３に最も挿入された状態で第１ピストン４が第１吸引室３４に最も挿入され、大容量の試料をサンプリングする大吸引位置に第１ピストン４がセットされることになる。この大吸引位置の容量は、例えば、５００μｌ（マイクロリットル）の採取容量に設定されている。
【００４５】
一方、上記ノックカバー６４の押圧を解除すると、第１スプリング４４及び第２スプリング５３のバネ力によって第１ピストン４及び第２ピストン５は突出して元の図２の状態に戻ることになる。
【００４６】
そこで、上述したピペット１における大容量と小容量とのサンプリング量の選択動作について具体的に説明する。
【００４７】
例えば、健康診断等において、尿検査を行う場合、採取した尿を遠心分離して上澄を捨てて２００μｌ（マイクロリットル）のサンプルにする。その際、上述したピペット１においては、ノックカバー６４を最も押し込んだ大吸引位置にし（図１０参照）、延長ノズル７を試料容器の試料に浸漬し、試料容器のサンプルが２００μｌ（マイクロリットル）になるまでノックカバー６４を戻し、上澄を除去する。
【００４８】
その後、この２００μｌ（マイクロリットル）の液体部分と残渣とのサンプルを混ぜ合わせた後、１５μｌ（マイクロリットル）の尿沈渣試験用サンプルを採取することになるが、その際、上記ノックカバー６４をやや押し込んだ小吸引位置にし（図９参照）、延長ノズル７を試料容器の試料に浸漬し、ノックカバー６４を戻して上記サンプルを採取することになる。
【００４９】
また、延長ノズル７を取り外す場合は、クリップ８１を下方に押圧移動させると、取外しピン８２が移動してしごき片１１が下方に移動する。該しごき片１１が移動すると、図示しないが、しごき片１１の下端が延長ノズル７の突起７３に当たって該延長ノズル７が外れることになる。
【００５０】
−実施例の効果−
以上のように、本実施例によれば、シリンダ３に対して第１ピストン４と第２ピストン５とを２段に嵌合し、該第１ピストン４及び第２ピストン５を往復移動させて大容量と小容量とのサンプリング量を選択するようにしたために、従来のように、一定容量のサンプリング量のみに固定されていたものに比して適用範囲を拡大することができる。特に、多数の試料を検査する際、必要容量のサンプリングを簡単に行うことができるので、検査作業を迅速に行うことができる。
【００５１】
また、サンプリング量を任意に設定する容量可変のものに比して、構造を簡素にすることができ、且つ部品点数を少なくすることができることから、安価なものにすることができる。
【００５２】
また、大容量と小容量とのサンプリング量の選択を片手、つまり、親指１本で押圧片６ｈを押圧することによって行うことができるので、操作の簡略化を図ることができ、各種の検査作業の迅速化を図ることができる。
【００５３】
また、クリップ８１を操作するのみで延長ノズル７を取外すことができるので、手が試料等に触れることがないので、検査作業等を迅速且つ極めて衛生的に行うことができる。
【００５４】
−他の変形例−
本実施例においては、上記操作杆６にノック機構を用いたが、請求項１に係る発明では第１ピストン４及び第２ピストン５を押圧操作するのみであってもよい。
【００５５】
また、上記第１スプリング４４、第２スプリング５３及び圧縮スプリング１２は、実施例のコイルスプリングに限られず、板バネやゴムなどの各種の弾性部材であってもよい。
【００５６】
また、請求項１及び請求項２に係る発明では、延長ノズル７の取外し機構は設けなくともよい。
【図面の簡単な説明】
【図１】本発明のピペットを示す正面図である。
【図２】ピペットを示す縦断面図である。
【図３】ピペットの先端側を示す拡大縦断面図である。
【図４】ピペットの頭部側を示す拡大縦断面図である。
【図５】図２のＶ−Ｖ線における横断面端面図である。
【図６】シリンダ、第１ピストン及び第２ピストン等の分解斜視図である。
【図７】操作杆の分解斜視図である。
【図８】延長ノズルの縦断面図である。
【図９】小吸引位置の操作状態を示すピペットの縦断面図である。
【図１０】大吸引位置の操作状態を示すピペットの縦断面図である。
【符号の説明】
１              ピペット
１１            しごき片
１２            圧縮スプリング（弾性部材）
２              本体ケーシング
２１            ボディ部
２２            先端キャップ
２３            頭部キャップ
３              シリンダ
３１            シリンダ本体
３３            ノズル部
３４            第１吸引室
３ｄ            吸引路
４              第１ピストン
４１            ピストン本体
４３            第２吸引室
４４            第１スプリング（弾性体）
５              第２ピストン
５１            ピストン本体
５３            第２スプリング（弾性体）
６              操作杆
６１            回転子
６ｄ            スライド片
６２            ガイド部材
６ａ            スライド溝
６３            ノック部材
６ｆ            カム
６４            ノックカバー
６ｈ            押圧片
７              延長ノズル
８              取外し手段
【図１】
0003699749.tif 000002
【図２】
0003699749.tif 000003
【図３】
0003699749.tif 000004
【図４】
0003699749.tif 000005
【図５】
0003699749.tif 000006
【図６】
0003699749.tif 000007
【図７】
0003699749.tif 000008
【図８】
0003699749.tif 000009
【図９】
0003699749.tif 000010
【図１０】
0003699749.tif 000011